(57)【要約】  干渉管理のための方法および装置が開示される。干渉管理は、動的ポイント選択または半静的ポイント選択に基づく。方法は、複数のネットワークノードにおける干渉を決定することを含む。方法は、決定された干渉に基づいて、少なくとも１つのモバイルエンティティへの送信のための送信ポイントを複数のネットワークノードから選択することを含む。
2016522603.tif 000002
【特許請求の範囲】
【請求項１】
ワイヤレス通信システム（ＷＣＳ）における干渉管理のための方法であって、
複数のネットワークノードにおける干渉を決定することと、
前記決定された干渉に基づいて、少なくとも１つのモバイルエンティティへの送信のための送信ポイントを前記複数のネットワークノードから選択することと
を備える方法。
【請求項２】
前記複数のネットワークノードのためのセルクラスタを決定することをさらに備え、ここにおいて、選択することが、前記送信ポイントを前記セルクラスタから選択することを備える、請求項１に記載の方法。
【請求項３】
選択することが、サブフレームごとの前記送信ポイントの動的ポイント選択に基づく、請求項１に記載の方法。
【請求項４】
選択することが、半静的な方法における前記送信ポイントの半静的ポイント選択に基づく、請求項１に記載の方法。
【請求項５】
決定することが、前記複数のネットワークノードまたは報告モバイルエンティティから受信された指示のうちの少なくとも１つに基づく、請求項１に記載の方法。
【請求項６】
干渉を決定することが、少なくとも１つのネイバーネットワークノードによる干渉を決定することを備える、請求項１に記載の方法。
【請求項７】
ネイバーネットワークノードに対する高い結合損失または前記ネイバーネットワークノード中の高いデータトラフィックの不在を決定したことに応答して、ステータスフラグを第１の値と定義するか、さもなければ、前記ステータスフラグを第２の値と定義することをさらに備え、ここにおいて、前記選択することが、前記第１の値である前記ステータスフラグに基づく、請求項６に記載の方法。
【請求項８】
前記複数のネットワークノード中の１つのネットワークノードから前記複数のネットワークノード中の別のネットワークノードに前記ステータスフラグを送信することをさらに備える、請求項７に記載の方法。
【請求項９】
ワイヤレス通信システム（ＷＣＳ）における干渉管理のための装置であって、
複数のネットワークノードにおける干渉を決定し、前記決定された干渉に基づいて、少なくとも１つのモバイルエンティティへの送信のための送信ポイントを前記複数のネットワークノードから選択するように構成された少なくとも１つのプロセッサと、
前記少なくとも１つのプロセッサに結合された、データを記憶するためのメモリと
を備える装置。
【請求項１０】
前記少なくとも１つのプロセッサが、前記複数のネットワークノードのためのセルクラスタを決定するようにさらに構成され、ここにおいて、選択することが、前記送信ポイントを前記セルクラスタから選択することを備える、請求項９に記載の装置。
【請求項１１】
選択することが、サブフレームごとの前記送信ポイントの動的ポイント選択に基づく、請求項９に記載の装置。
【請求項１２】
選択することが、半静的な方法における前記送信ポイントの半静的ポイント選択に基づく、請求項９に記載の装置。
【請求項１３】
干渉を決定することが、少なくとも１つのネイバーネットワークノードによる干渉を決定することを備える、請求項９に記載の装置。
【請求項１４】
決定することが、前記複数のネットワークノードまたは報告モバイルエンティティから受信された指示のうちの少なくとも１つに基づく、請求項９に記載の装置。
【請求項１５】
前記少なくとも１つのプロセッサが、ネイバーネットワークノードに対する高い結合損失または前記ネイバーネットワークノード中の高いデータトラフィックの不在を決定したことに応答して、ステータスフラグを第１の値と定義するか、さもなければ、前記ステータスフラグを第２の値と定義するようにさらに構成され、ここにおいて、前記選択することが、前記第１の値である前記ステータスフラグに基づく、請求項１４に記載の装置。
【請求項１６】
前記少なくとも１つのプロセッサが、前記複数のネットワークノード中の１つのネットワークノードから前記複数のネットワークノード中の別のネットワークノードに前記ステータスフラグを送信するようにさらに構成される、請求項１５に記載の装置。
【請求項１７】
ワイヤレス通信システム（ＷＣＳ）における干渉管理のための装置であって、
複数のネットワークノードにおける干渉を決定するための手段と、
前記決定された干渉に基づいて、少なくとも１つのモバイルエンティティへの送信のための送信ポイントを前記複数のネットワークノードから選択するための手段と
を備える装置。
【請求項１８】
前記複数のネットワークノードのためのセルクラスタを決定するための手段をさらに備え、ここにおいて、選択することが、前記送信ポイントを前記セルクラスタから選択することを備える、請求項１７に記載の装置。
【請求項１９】
サブフレームごとの前記送信ポイントの動的ポイント選択に基づいて選択するための手段をさらに備える、請求項１７に記載の装置。
【請求項２０】
半静的な方法における前記送信ポイントの半静的ポイント選択に基づいて選択するための手段をさらに備える、請求項１７に記載の装置。
【請求項２１】
前記複数のネットワークノードまたは報告モバイルエンティティから受信された指示のうちの少なくとも１つに基づいて決定するための手段をさらに備える、請求項１７に記載の装置。
【請求項２２】
少なくとも１つのネイバーネットワークノードによる干渉を決定するための手段をさらに備える、請求項１７に記載の装置。
【請求項２３】
ネイバーネットワークノードに対する高い結合損失または前記ネイバーネットワークノード中の高いデータトラフィックの不在を決定したことに応答して、ステータスフラグを第１の値と定義するか、さもなければ、前記ステータスフラグを第２の値と定義するための手段をさらに備え、ここにおいて、前記選択することが、前記第１の値である前記ステータスフラグに基づく、請求項２２に記載の装置。
【請求項２４】
前記複数のネットワークノード中の１つのネットワークノードから前記複数のネットワークノード中の別のネットワークノードに前記ステータスフラグを送信するための手段をさらに備える、請求項２３に記載の装置。
【請求項２５】
少なくとも１つのコンピュータに、
複数のネットワークノードにおける干渉を決定させ、
前記決定された干渉に基づいて、少なくとも１つのモバイルエンティティへの送信のための送信ポイントを前記複数のネットワークノードから選択させる
ためのコードを記憶するコンピュータ可読媒体を備えるコンピュータプログラム製品。
【請求項２６】
前記コンピュータ可読媒体が、前記少なくとも１つのコンピュータに、前記複数のネットワークノードのためのセルクラスタを決定させるためのコードをさらに記憶し、ここにおいて、選択することが、前記送信ポイントを前記セルクラスタから選択することを備える、請求項２５に記載のコンピュータプログラム製品。
【請求項２７】
選択することが、サブフレームごとの前記送信ポイントの動的ポイント選択に基づく、請求項２５に記載のコンピュータプログラム製品。
【請求項２８】
選択することが、半静的な方法における前記送信ポイントの半静的ポイント選択に基づく、請求項２５に記載のコンピュータプログラム製品。
【請求項２９】
決定することが、前記複数のネットワークノードまたは報告モバイルエンティティから受信された指示のうちの少なくとも１つに基づく、請求項２５に記載のコンピュータプログラム製品。
【請求項３０】
干渉を決定することが、少なくとも１つのネイバーネットワークノードによる干渉を決定することを備える、請求項２５に記載のコンピュータプログラム製品。
【請求項３１】
前記コンピュータ可読媒体が、前記少なくとも１つのコンピュータに、ネイバーネットワークノードに対する高い結合損失または前記ネイバーネットワークノード中の高いデータトラフィックの不在を決定したことに応答して、ステータスフラグを第１の値と定義させるか、さもなければ、前記ステータスフラグを第２の値と定義させるためのコードをさらに記憶し、ここにおいて、前記選択することが、前記第１の値である前記ステータスフラグに基づく、請求項３０に記載のコンピュータプログラム製品。
【請求項３２】
前記コンピュータ可読媒体が、前記少なくとも１つのコンピュータに、前記複数のネットワークノード中の１つのネットワークノードから前記複数のネットワークノード中の別のネットワークノードに前記ステータスフラグを送信させるためのコードをさらに記憶する、請求項３１に記載のコンピュータプログラム製品。
【発明の詳細な説明】
【技術分野】
【０００１】
[0001]本開示は一般に通信システムに関し、より詳細には、干渉管理のための技法に関する。
【背景技術】
【０００２】
[0002]ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００３】
[0003]ワイヤレス通信ネットワークは、たとえば、ユーザ機器（ＵＥ）などのいくつかのモバイルエンティティのための通信をサポートし得る、いくつかの基地局を含み得る。ＵＥは、ダウンリンク（ＤＬ）およびアップリンク（ＵＬ）を介して基地局と通信し得る。ＤＬ（または順方向リンク）は基地局からＵＥへの通信リンクを指し、ＵＬ（または逆方向リンク）はＵＥから基地局への通信リンクを指す。
【０００４】
[0004]第３世代パートナーシッププロジェクト（３ＧＰＰ：3rd Generation Partnership Project）ロングタームエボリューション（ＬＴＥ：Long Term Evolution）は、モバイル通信用グローバルシステム（ＧＳＭ（登録商標）：Global System for Mobile communications）およびユニバーサルモバイルテレコミュニケーションシステム（ＵＭＴＳ：Universal Mobile Telecommunications System）の発展形として、セルラー技術における大きな進歩を代表するものである。ＬＴＥ物理レイヤ（ＰＨＹ）は、発展型ノードＢ（ｅＮＢ）などの基地局と、ＵＥなどのモバイルエンティティとの間でデータと制御情報の両方を搬送する高効率な方法を与える。
【０００５】
[0005]近年、ユーザは、特に自宅またはオフィスロケーションにおいて、固定回線ブロードバンド通信の代わりにモバイルブロードバンド通信を使用し始めており、高い音声品質、確実なサービス、および低価格をますます要求している。屋内サービスを提供するために、ネットワーク事業者は異なる解決策を展開し得る。中程度のトラフィックを有するネットワークの場合、事業者は、信号を建物の中に送信するためにマクロセルラー基地局に依拠し得る。しかしながら、建物の透過損失が高いエリアでは、許容可能な信号品質を維持することが困難である場合があり、したがって、他の解決策が望まれている。空間およびスペクトルなどの限られた無線リソースを最大限に活用するための新しい解決策が頻繁に望まれている。これらの解決策のうちのいくつかは、インテリジェントリピータと、リモートラジオヘッドと、小カバレージ基地局（たとえば、ピコセルおよびフェムトセル）とを含む。これに関連して、ワイヤレス通信デバイスの改善された干渉管理が依然として必要とされている。さらに、利用可能なスペクトルリソースをよりよく活用するための、セルクラスタを使用した干渉管理が必要とされている。
【発明の概要】
【０００６】
[0006]干渉軽減のための方法および装置について発明を実施するための形態において詳細に説明し、いくつかの態様を以下に要約する。この概要および以下の発明を実施するための形態は、統合された開示の補助的な部分として解釈されるべきであり、これらの部分は、重複する主題および／または補足的な主題を含み得る。いずれかのセクションの省略は、統合された適用例において説明される任意の要素の優先順位または相対的な重要性を示すものではない。セクション間の差は、代替実施形態の補足的な開示、追加の詳細、または異なる用語を使用した同一の実施形態の代替的説明を含むことがあり、これらはそれぞれの開示から明らかなはずである。
【０００７】
[0007]一態様では、干渉管理のための方法が開示される。方法は、複数のネットワークノードにおける干渉を決定することを含む。方法は、決定された干渉に基づいて、少なくとも１つのモバイルエンティティへの送信のための送信ポイントを複数のネットワークノードから選択することを含む。
【０００８】
[0008]別の態様では、干渉管理のための装置は、複数のネットワークノードにおける干渉を決定し、決定された干渉に基づいて、少なくとも１つのモバイルエンティティへの送信のための送信ポイントを複数のネットワークノードから選択するように構成された少なくとも１つのプロセッサを含む。装置は、少なくとも１つのプロセッサに結合された、データを記憶するためのメモリを含む。
【０００９】
[0009]別の態様では、干渉管理のための装置は、複数のネットワークノードにおける干渉を決定するための手段を含む。装置は、決定された干渉に基づいて、少なくとも１つのモバイルエンティティへの送信のための送信ポイントを複数のネットワークノードから選択するための手段を含む。
【００１０】
[0010]別の態様では、コンピュータプログラム製品は、コンピュータに、複数のネットワークノードにおける干渉を決定させ、決定された干渉に基づいて、少なくとも１つのモバイルエンティティへの送信のための送信ポイントを複数のネットワークノードから選択させるためのコードを含む、コンピュータ可読媒体を含む。
【００１１】
[0011]開示する態様について、開示する態様を限定するためではなく、例示するために与えられる添付の図面とともに以下で説明し、同様の記号は同様の要素を示す。
【図面の簡単な説明】
【００１２】
【図１】[0012]電気通信システムの一例を概念的に示すブロック図。
【図２】[0013]電気通信システムにおけるダウンリンクフレーム構造の一例を概念的に示すブロック図。
【図３】[0014]基地局／ｅＮＢおよびＵＥの設計を概念的に示すブロック図。
【図４】[0015]別の例示的な通信システムを示すブロック図。
【図５】[0016]例示的な適応可能ダウンリンク／アップリンクトラフィック負荷構成を示す図。
【図６】[0017]異なる送信方向を有する隣接セルによるダウンリンク−アップリンク干渉を示す図。
【図７】[0018]セルクラスタ干渉管理を示す図。
【図８】[0019]異なるＴＤＤ構成を有する２つのセルのための組み合わされたＴＤＤ構成を示す図。
【図９Ａ】[0020]デクラスタリング方法および関連する問題を示す図。
【図９Ｂ】デクラスタリング方法および関連する問題を示す図。
【図９Ｃ】デクラスタリング方法および関連する問題を示す図。
【図１０】[0021]ＵＥのための例示的な送信ポイント選択を示す図。
【図１１】[0022]ＵＥのための別の例示的な送信ポイント選択を示す図。
【図１２】[0023]柔軟なポイント選択エリアの定義を示す図。
【図１３】[0024]柔軟なセル選択エリアにおけるＵＥの切替えを示す図。
【図１４】[0025]干渉管理のための方法を示す図。
【図１５】[0026]図１４の方法による、干渉管理のための装置の一実施形態を示す図。
【図１６】装置の一実施形態を示す図。
【発明を実施するための形態】
【００１３】
[0027]ここで、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施され得ることは明らかであろう。
【００１４】
[0028]本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、限定はしないが、プロセッサ上で実行しているプロセス、プロセッサ、オブジェクト、実行可能ファイル、実行スレッド、プログラムおよび／またはコンピュータであり得る。例として、コンピューティングデバイス上で実行しているアプリケーションと、そのコンピューティングデバイスの両方が構成要素であり得る。１つまたは複数の構成要素がプロセスおよび／または実行スレッド内に存在し得、１つの構成要素が１つのコンピュータ上に配置され得、および／または２つ以上のコンピュータ間に分散され得る。加えて、これらの構成要素は、様々なデータ構造を記憶している様々なコンピュータ可読媒体から実行し得る。これらの構成要素は、信号を介して、ローカルシステム、分散システム内の別の構成要素と相互作用し、および／またはインターネットなどのネットワーク上で他のシステムと相互作用する１つの構成要素からのデータなど、１つまたは複数のデータパケットを有する信号に従うことなどによって、ローカルプロセスおよび／またはリモートプロセスを介して通信し得る。
【００１５】
[0029]さらに、様々な態様について、ワイヤード端末またはワイヤレス端末であり得る端末に関して本明細書で説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末またはデバイスは、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、タブレット、コンピューティングデバイス、またはワイヤレスモデムに接続された他の処理デバイスとすることができる。さらに、様々な態様について、基地局に関して本明細書で説明する。基地局は、（１つまたは複数の）ワイヤレス端末と通信するために利用され得、アクセスポイント、ノードＢ、発展型ノードＢ（ｅＮＢ）、集合的にＨ（ｅ）ＮＢと呼ばれるホームノードＢ（ＨＮＢ）もしくはホーム発展型ノードＢ（ＨｅＮＢ）、または何らかの他の用語で呼ばれることもある。
【００１６】
[0030]さらに、「または」という用語は、排他的な「または」ではなく、包括的な「または」を意味するものとする。すなわち、別段に規定されていない限り、または文脈から明らかでない限り、「ＸはＡまたはＢを使用する」という句は、自然包括的並べ替えのいずれかを意味するものとする。すなわち、「ＸはＡまたはＢを使用する」という句は、以下の場合、すなわち、ＸがＡを使用する場合、ＸがＢを使用する場合、またはＸがＡとＢの両方を使用する場合のうちのいずれかによって満足される。加えて、本出願および添付の特許請求の範囲で使用する冠詞「ａ」および「ａｎ」は、別段に規定されていない限り、または単数形を対象とすべきであると文脈から明らかでない限り、通常、「１つまたは複数」を意味すると解釈されるべきである。
【００１７】
[0031]本明細書で説明する技法は、ＣＤＭＡ、ＴＤＭＡ、ＦＤＭＡ、ＯＦＤＭＡ、ＳＣ−ＦＤＭＡ、ＷｉＦｉ（登録商標）キャリア検知多元接続（ＣＳＭＡ）、および他のシステムなど、様々なワイヤレス通信システムに使用され得る。「システム」および「ネットワーク」という用語は、しばしば互換的に使用される。ＣＤＭＡシステムは、ユニバーサル地上波無線アクセス（ＵＴＲＡ）、ｃｄｍａ２０００などの無線技術を実装し得る。ＵＴＲＡは、広帯域ＣＤＭＡ（Ｗ−ＣＤＭＡ（登録商標））と、ＣＤＭＡの他の変形態とを含む。さらに、ｃｄｍａ２０００は、ＩＳ−２０００規格と、ＩＳ−９５規格と、ＩＳ−８５６規格とをカバーする。ＴＤＭＡシステムは、モバイル通信用グローバルシステム（ＧＳＭ）などの無線技術を実装し得る。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンク上ではＯＦＤＭＡを採用し、アップリンク上ではＳＣ−ＦＤＭＡを採用する、Ｅ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００１８】
[0032]様々な態様または特徴が、いくつかのデバイス、構成要素、モジュールなどを含み得るシステムに関して提示される。様々なシステムは、追加のデバイス、構成要素、モジュールなどを含んでもよく、および／または各図に関して論じるデバイス、構成要素、モジュールなどのすべてを含まなくてもよいことを理解し、諒解されたい。これらの手法の組合せも使用され得る。
【００１９】
[0033]次に図１を参照すると、本明細書で提示する様々な実施形態による、ＬＴＥネットワークであり得るワイヤレス通信システム１００が示されている。ワイヤレスネットワーク１００は、いくつかのｅＮＢ１１０と他のネットワークエンティティとを含み得る。ｅＮＢは、ＵＥと通信する局であり得、基地局、ノードＢ、アクセスポイント、または他の用語で呼ばれることもある。各ｅＮＢ１１０ａ、１１０ｂ、１１０ｃは、特定の地理的エリアに通信カバレージを与え得る。３ＧＰＰでは、「セル」という用語は、その用語が使用される文脈に応じて、ｅＮＢのカバレージエリアおよび／またはこのカバレージエリアにサービスするｅＮＢサブシステムを指し得る。
【００２０】
[0034]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連付けを有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨＮＢ）と呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートし得る。
【００２１】
[0035]ワイヤレスネットワーク１００はまた、中継局１１０ｒを含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送る局である。中継局はまた、他のＵＥに対する送信を中継するＵＥであり得る。図１に示す例では、中継局１１０ｒは、ｅＮＢ１１０ａとＵＥ１２０ｒとの間の通信を容易にするために、ｅＮＢ１１０ａおよびＵＥ１２０ｒと通信し得る。中継局は、リレーｅＮＢ、リレーなどと呼ばれることもある。
【００２２】
[0036]ワイヤレスネットワーク１００は、様々なタイプのｅＮＢ、たとえば、マクロｅＮＢ、ピコｅＮＢ、フェムトｅＮＢ、リレーなどを含む異種ネットワークであり得る。これらの様々なタイプのｅＮＢは、様々な送信電力レベルと、様々なカバレージエリアと、ワイヤレスネットワーク１００中の干渉に対する様々な影響とを有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００２３】
[0037]ワイヤレスネットワーク１００は、同期動作または非同期動作をサポートし得る。同期動作の場合、ｅＮＢは同様のフレームタイミングを有し得、異なるｅＮＢからの送信は時間的にほぼ整合され得る。非同期動作の場合、ｅＮＢは異なるフレームタイミングを有し得、異なるｅＮＢからの送信は時間的に整合されないことがある。本明細書で説明する技法は、同期動作と非同期動作の両方に使用され得る。
【００２４】
[0038]ネットワークコントローラ１３０は、ｅＮＢのセットに結合し、これらのｅＮＢの協調および制御を行い得る。ネットワークコントローラ１３０は、バックホールを介してｅＮＢ１１０と通信し得る。ｅＮＢ１１０はまた、たとえば、ワイヤレスバックホールまたはワイヤラインバックホールを介して直接または間接的に互いに通信し得る。
【００２５】
[0039]ＵＥ１２０は、ワイヤレスネットワーク１００全体にわたって分散され得、各ＵＥは固定式またはモバイルであり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、または他のモバイルエンティティであり得る。ＵＥは、マクロｅＮＢ、ピコｅＮＢ、フェムトｅＮＢ、リレー、または他のネットワークエンティティと通信することが可能であり得る。図１では、両矢印付きの実線は、ダウンリンクおよび／またはアップリンク上での、ＵＥと、そのＵＥにサービスするように指定されたｅＮＢであるサービングｅＮＢとの間の所望の送信を示す。両矢印付きの破線は、ＵＥとｅＮＢとの間の干渉送信を示す。たとえば、ＵＥ１２０ｙは、フェムトｅＮＢ１１０ｙ、１１０ｚに近接していてもよい。ＵＥ１２０ｙからのアップリンク送信はフェムトｅＮＢ１１０ｙ、１１０ｚに干渉し得、ＵＥ１２０ｙからのアップリンク送信はフェムトｅＮＢ１１０ｙ、１１０ｚを妨害し、フェムトｅＮＢ１１０ｙ、１１０ｚへの他のアップリンク信号の受信の品質を低下させ得る。フェムトｅＮＢ１１０ｙは、ＵＥへの制限付き関連付けをもたないオープンアクセスフェムトｅＮＢであり得る。一例では、フェムトｅＮＢ１１０ｚは、カバレージをエリアに与えるために最初に展開された、より送信電力が高いｅＮＢであり得る。フェムトｅＮＢ１１０ｚは、大きいサービスエリアをカバーするために展開され得る。フェムトｅＮＢ１１０ｙは、ｅＮＢ１１０ｃ、ｅＮＢ１１０ｚのいずれかまたは両方からのトラフィックをロードするためのホットスポットエリアにカバレージを与えるためにフェムトｅＮＢ１１０ｚよりも後に展開された、より送信電力が低いｅＮＢであり得る。ＵＥ１２０ｙからのアップリンク送信は、ＵＥ１２０ｆからの送信に干渉し、ＵＥ１２０ｆによって経験されるサービス品質ＱｏＳを低減し得る。フェムトｅＮＢ１１０ｙは、以下の方法に従って干渉を軽減するためにその送信電力を適応させようとし得る。
【００２６】
[0040]ＬＴＥは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅はまた、サブバンドに区分され得る。たとえば、サブバンドは１．０８ＭＨｚをカバーし得、１．２５、２．５、５、１０または２０ＭＨｚのシステム帯域幅に対してそれぞれ１、２、４、８または１６個のサブバンドがあり得る。
【００２７】
[0041]図２は、ＬＴＥにおいて使用されるダウンリンクフレーム構造２００を示す。ダウンリンクの送信タイムラインは、無線フレーム２０２、２０４、２０６の単位に区分され得る。各無線フレームは、所定の持続時間（たとえば、１０ミリ秒（ｍｓ））を有し得、０〜９のインデックスをもつ１０個のサブフレーム２０８に区分され得る。各サブフレームは、２つのスロット、たとえば、スロット２１０を含み得る。したがって、各無線フレームは、０〜１９のインデックスをもつ２０個のスロットを含み得る。各スロットは、Ｌ個のシンボル期間、たとえば、図２に示すようにノーマルサイクリックプレフィックス（ＣＰ）の場合は７個のシンボル期間２１２、または拡張サイクリックプレフィックスの場合は６個のシンボル期間を含み得る。ノーマルＣＰおよび拡張ＣＰは、本明細書では異なるＣＰのタイプと呼ばれ得る。各サブフレーム中の２Ｌ個のシンボル期間には、０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２８】
[0042]ＬＴＥでは、ｅＮＢは、ｅＮＢ中の各セルについて１次同期信号（ＰＳＳ）と２次同期信号（ＳＳＳ）とを送り得る。１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および収集のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２９】
[0043]ｅＮＢは、図２の第１のシンボル期間全体において示されているが、各サブフレームの第１のシンボル期間の一部のみの中で物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２、または３に等しくなり得、サブフレームごとに変化し得る。Ｍはまた、たとえば、リソースブロックが１０個未満である小さいシステム帯域幅では、４に等しくなり得る。図２に示す例では、Ｍ＝３である。ｅＮＢは、各サブフレームの最初のＭ個（図２ではＭ＝３）のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送信（ＨＡＲＱ：hybrid automatic retransmission）をサポートするための情報を搬送し得る。ＰＤＣＣＨは、ＵＥのためのリソースの割振りに関する情報と、ダウンリンクチャネルのための制御情報とを搬送し得る。図２の第１のシンボル期間には示されていないが、ＰＤＣＣＨおよびＰＨＩＣＨは、第１のシンボル期間にも含まれ得ることを理解されたい。同様に、ＰＨＩＣＨおよびＰＤＣＣＨはまた、第２のシンボル期間と第３のシンボル期間の両方にあり得るが、図２ではそのように示されていない。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信がスケジュールされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；  Ｐｈｙｓｉｃａｌ  Ｃｈａｎｎｅｌｓ  ａｎｄ  Ｍｏｄｕｌａｔｉｏｎ」と題する３ＧＰＰ  ＴＳ３６．２１１に記載されている。
【００３０】
[0044]ｅＮＢは、ｅＮＢによって使用されるシステム帯域幅の中心１．０８ＭＨｚにおいてＰＳＳと、ＳＳＳと、ＰＢＣＨとを送り得る。ｅＮＢは、ＰＣＦＩＣＨとＰＨＩＣＨとが送られる各シンボル期間中のシステム帯域幅全体にわたってこれらのチャネルを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳと、ＳＳＳと、ＰＢＣＨと、ＰＣＦＩＣＨと、ＰＨＩＣＨとを送り得、特定のＵＥにユニキャスト方式でＰＤＣＣＨを送り得、また特定のＵＥにユニキャスト方式でＰＤＳＣＨを送り得る。
【００３１】
[0045]各シンボル期間において、いくつかのリソース要素が利用可能であり得る。各リソース要素は、１つのシンボル期間中に１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０中に、周波数にわたってほぼ等しく離間され得る、４つのＲＥＧを占有し得る。ＰＨＩＣＨは、１つまたは複数の構成可能なシンボル期間中に、周波数にわたって拡散され得る、３つのＲＥＧを占有し得る。たとえば、ＰＨＩＣＨのための３つのＲＥＧは、すべてシンボル期間０に属し得るか、またはシンボル期間０、１および２に拡散され得る。ＰＤＣＣＨは、最初のＭ個のシンボル期間中に、利用可能なＲＥＧから選択され得る、９、１８、３２または６４個のＲＥＧを占有し得る。ＲＥＧのいくつかの組合せのみがＰＤＣＣＨに対して許され得る。
【００３２】
[0046]ＵＥは、ＰＨＩＣＨおよびＰＣＦＩＣＨのために使用される特定のＲＥＧを知り得る。ＵＥは、ＰＤＣＣＨについてＲＥＧの様々な組合せを探索することができる。探索すべき組合せの数は、一般に、ＰＤＣＣＨに対して許される組合せの数よりも少ない。ｅＮＢは、ＵＥが探索することになる組合せのいずれかにおいてＵＥにＰＤＣＣＨを送り得る。
【００３３】
[0047]ＵＥは、複数のｅＮＢのカバレージ内にあり得る。そのＵＥにサービスするために、これらのｅＮＢのうちの１つが選択され得る。サービングｅＮＢは、受信電力、経路損失、信号対雑音比（ＳＮＲ）などの様々な基準に基づいて選択され得る。
【００３４】
[0048]図３は、図１の基地局／ｅＮＢのうちの１つであり得る基地局／ｅＮＢ１１０および図１のＵＥのうちの１つであり得るＵＥ１２０の設計のブロック図を示す。制限付き関連付けシナリオの場合、基地局１１０は図１のマクロｅＮＢ１１０ｃであり得、ＵＥ１２０はＵＥ１２０ｙであり得る。基地局１１０はまた、フェムトセル、ピコセルなどを含むアクセスポイントなど、何らかの他のタイプの基地局であり得る。基地局１１０はアンテナ３３４ａ〜３３４ｔを備え得、ＵＥ１２０はアンテナ３５２ａ〜３５２ｒを備え得る。
【００３５】
[0049]基地局１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ３２０は、データと制御情報とを処理（たとえば、符号化およびシンボルマッピング）して、それぞれデータシンボルと制御シンボルとを取得し得る。プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合はデータシンボル、制御シンボル、および／または基準シンボルに対して空間処理（たとえば、プリコーディング）を実行し得、出力シンボルストリームを変調器（ＭＯＤ）３３２ａ〜３３２ｔに与え得る。各変調器３３２は、（たとえば、ＯＦＤＭなどのために）それぞれの出力シンボルストリームを処理して、出力サンプルストリームを取得し得る。各変調器３３２はさらに、出力サンプルストリームを処理（たとえば、アナログへの変換、増幅、フィルタ処理、およびアップコンバート）して、ダウンリンク信号を取得し得る。変調器３３２ａ〜３３２ｔからのダウンリンク信号は、それぞれアンテナ３３４ａ〜３３４ｔを介して送信され得る。
【００３６】
[0050]ＵＥ１２０において、アンテナ３５２ａ〜３５２ｒは、基地局１１０からダウンリンク信号を受信し得、受信信号をそれぞれ復調器（ＤＥＭＯＤ）３５４ａ〜３５４ｒに与え得る。各復調器３５４は、それぞれの受信信号を調整（たとえば、フィルタ処理、増幅、ダウンコンバート、およびデジタル化）して、入力サンプルを取得し得る。各復調器３５４はさらに、（たとえば、ＯＦＤＭなどのために）入力サンプルを処理して、受信シンボルを取得し得る。ＭＩＭＯ検出器３５６は、すべての復調器３５４ａ〜３５４ｒから受信シンボルを取得し、適用可能な場合は受信シンボルに対してＭＩＭＯ検出を実行し、検出シンボルを与え得る。受信プロセッサ３５８は、検出シンボルを処理（たとえば、復調、デインターリーブ、および復号）し、ＵＥ１２０用の復号されたデータをデータシンク３６０に与え、復号された制御情報をコントローラ／プロセッサ３８０に与え得る。
【００３７】
[0051]アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、基地局１１０に送信され得る。基地局１１０において、ＵＥ１２０からのアップリンク信号は、アンテナ３３４によって受信され、復調器３３２によって処理され、適用可能な場合はＭＩＭＯ検出器３３６によって検出され、さらに受信プロセッサ３３８によって処理されて、ＵＥ１２０によって送信された復号されたデータと制御情報とが取得され得る。プロセッサ３３８は、復号されたデータをデータシンク３３９に与え、復号された制御情報をコントローラ／プロセッサ３４０に与え得る。
【００３８】
[0052]コントローラ／プロセッサ３４０および３８０は、それぞれ基地局１１０およびＵＥ１２０における動作を指示し得る。基地局１１０におけるプロセッサ３４０ならびに／または他のプロセッサおよびモジュールは、本明細書で説明する技法のための様々なプロセスを実行するか、またはその実行を指示し得る。ＵＥ１２０におけるプロセッサ３８０ならびに／または他のプロセッサおよびモジュールはまた、図４および図５に示す機能ブロック、および／または本明細書で説明する技法のための他のプロセスを実行するか、またはその実行を指示し得る。メモリ３４２および３８２は、それぞれ基地局１１０およびＵＥ１２０のためのデータとプログラムコードとを記憶し得る。スケジューラ３４４は、ダウンリンク上および／またはアップリンク上のデータ送信のためにＵＥをスケジューリングし得る。
【００３９】
[0053]一構成では、ワイヤレス通信のためのＵＥ１２０は、ＵＥの接続モード中に干渉基地局からの干渉を検出するための手段と、干渉基地局の得られたリソースを選択するための手段と、得られたリソース上の物理ダウンリンク制御チャネルの誤り率を取得するための手段と、誤り率が所定のレベルを超えたことに応答して実行可能である、無線リンク障害を宣言するための手段とを含む。一態様では、上述の手段は、上述の手段によって列挙される機能を実行するように構成された（１つまたは複数の）プロセッサ、コントローラ／プロセッサ３８０、メモリ３８２、受信プロセッサ３５８、ＭＩＭＯ検出器３５６、復調器３５４ａ、およびアンテナ３５２ａとすることができる。別の態様では、上述の手段は、上述の手段によって列挙される機能を実行するように構成されたモジュールまたは任意の装置とすることができる。
【００４０】
[0054]図４は、１つまたは複数のＦＡＰがネットワーク環境内に展開された例示的な通信システム４００を示す。特に、システム４００は、比較的小規模のネットワーク環境中に（たとえば、１つまたは複数のユーザ住居４３０中に）設置された複数のＦＡＰ４１０Ａおよび４１０Ｂ（たとえば、ＦＡＰまたはＨ（ｅ）ＮＢ）を含む。各ＦＡＰ４１０は、デジタル加入者回線（ＤＳＬ）ルータ、ケーブルモデム、ワイヤレスリンク、または他の接続手段（図示せず）を介して、ワイドエリアネットワーク４４０（たとえば、インターネット）とモバイル事業者コアネットワーク４５０とに結合され得る。以下で説明するように、各ＦＡＰ４１０は、関連するアクセス端末４２０（たとえば、アクセス端末４２０Ａ）、および、場合によっては、外来アクセス端末４２０（たとえば、アクセス端末４２０Ｂ）にサービスするように構成され得る。言い換えれば、ＦＡＰ４１０へのアクセスは、所与のアクセス端末４２０が、指定された（１つまたは複数の）（たとえば、ホーム）ＦＡＰ４１０のセットによってサービスされ得るが、いかなる指定されていないＦＡＰ４１０（たとえば、ネイバーのＦＡＰ）によってもサービスされ得ないように制限され得る。
【００４１】
[0055]再び図４を参照すると、ＦＡＰ４１０の所有者は、たとえば、３Ｇモバイルサービスなど、モバイル事業者コアネットワーク４５０を介して提供されるモバイルサービスに加入し得る。別の例では、ＦＡＰ４１０は、ワイヤレスネットワークのカバレージを拡大するために、モバイル事業者コアネットワーク４５０によって操作され得る。加えて、アクセス端末４２０は、マクロ環境と、より小規模の（たとえば、宅内）ネットワーク環境の両方で動作することが可能であり得る。したがって、たとえば、アクセス端末４２０の現在のロケーションに応じて、アクセス端末４２０は、マクロセルアクセスポイント４６０によって、または、ＦＡＰ４１０のセットのうちのいずれか１つ（たとえば、対応するユーザ住居４３０内に存在するＦＡＰ４１０Ａおよび４１０Ｂ）によってサービスされ得る。たとえば、加入者は、自宅の外にいるときは標準のマクロアクセスポイント（たとえば、ノード４６０）によってサービスされ、自宅にいるときはＦＡＰ（たとえば、ノード４１０Ａ）によってサービスされる。ここで、ＦＡＰ４１０は既存のアクセス端末４２０と後方互換性があり得ることを諒解されたい。
【００４２】
[0056]ＦＡＰ４１０は、単一の周波数上に展開されるか、または代替として、複数の周波数上に展開され得る。特定の構成に応じて、単一の周波数、あるいは複数の周波数のうちの１つまたは複数は、マクロアクセスポイント（たとえば、ノード４６０）によって使用される１つまたは複数の周波数と重複することがある。いくつかの態様では、アクセス端末４２０は、そのような接続性が可能であるときはいつでも、好適なＦＡＰ（たとえば、アクセス端末４２０のホームＦＡＰ）に接続するように構成され得る。たとえば、アクセス端末４２０は、ユーザの住居４３０内にあるときはいつでも、ホームＦＡＰ４１０と通信し得る。
【００４３】
[0057]いくつかの態様では、アクセス端末４２０がモバイル事業者コアネットワーク４５０内で動作しているが、（たとえば、好適ローミングリスト中で定義された）それの最も好適なネットワーク上に存在していない場合、アクセス端末４２０は、ベターシステムリセレクション（ＢＳＲ：Better System Reselection）を使用して、最も好適なネットワーク（たとえば、ＦＡＰ４１０）を探索し続けることができ、ベターシステムリセレクションでは、より良好なシステムが現在利用可能であるかどうかを決定するために利用可能なシステムの周期的スキャニングを行い、その後、そのような好適なシステムに関連付けようとすることができる。（たとえば、好適ローミングリスト中の）収集テーブルエントリを使用して、一例では、アクセス端末４２０は、特定の帯域およびチャネルの探索を制限することができる。たとえば、最も好適なシステムの探索が周期的に繰り返され得る。ＦＡＰ４１０などの好適なＦＡＰが発見されると、アクセス端末４２０は、そのカバレージエリア内にキャンプするためにＦＡＰ４１０を選択する。
【００４４】
[0058]ＦＡＰは、いくつかの態様では、制限されることがある。たとえば、所与のＦＡＰは、いくつかのサービスをいくつかのアクセス端末のみに提供し得る。いわゆる制限（または限定）された関連付けを用いた展開では、所与のアクセス端末は、マクロセルモバイルネットワークと、ＦＡＰの定義されたセット（たとえば、対応するユーザ住居４３０内に存在するＦＡＰ４１０）とによってのみサービスされ得る。いくつかの実装形態では、ＦＡＰは、少なくとも１つのアクセス端末にシグナリング、データアクセス、登録、ページング、またはサービスのうちの少なくとも１つを与えないように制限され得る。
【００４５】
[0059]いくつかの態様では、（限定加入者グループＨ（ｅ）ＮＢと呼ばれることもある）制限されたＦＡＰが、アクセス端末の制限されたプロビジョニングされたセットにサービスを提供するＦＡＰである。このセットは、必要に応じて、一時的にまたは永続的に拡大され得る。いくつかの態様では、限定加入者グループ（ＣＳＧ）は、アクセス端末の共通のアクセス制御リストを共有するアクセスノード（たとえば、ＦＡＰ）のセットとして定義され得る。領域中のすべてのＦＡＰ（またはすべての制限されたＦＡＰ）が動作するチャネルはフェムトチャネルと呼ばれることがある。
【００４６】
[0060]したがって、所与のＦＡＰと所与のアクセス端末との間には様々な関係が存在し得る。たとえば、アクセス端末の観点から、オープンＦＡＰは、制限された関連付けをもたないＦＡＰを指すことがある。制限されたＦＡＰは、何らかの形で制限された（たとえば、関連付けおよび／または登録について制限された）ＦＡＰを指すことがある。ホームＦＡＰは、アクセス端末がアクセスし、その上で動作することを許可されるＦＡＰを指すことがある。ゲストＦＡＰは、アクセス端末がアクセスし、またはその上で動作することを一時的に許可されるＦＡＰを指すことがある。外来ＦＡＰは、おそらく緊急事態（たとえば、９１１呼）を除いて、アクセス端末がアクセスし、またはその上で動作することを許可されないＦＡＰを指すことがある。
【００４７】
[0061]制限されたＦＡＰの観点から、ホームアクセス端末は、制限されたＦＡＰへのアクセスを許可されるアクセス端末を指すことがある。ゲストアクセス端末は、制限されたＦＡＰへの一時的アクセスをもつアクセス端末を指すことがある。外来アクセス端末は、おそらく緊急事態、たとえば、９１１呼を除いて、制限されたＦＡＰにアクセスする許可を有しないアクセス端末（たとえば、制限されたＦＡＰに登録するための証明書または許可を有しないアクセス端末）を指すことがある。
【００４８】
[0062]便宜のために、本明細書の開示では、ＦＡＰの文脈で様々な機能について説明する。ただし、ピコノードは、ＦＡＰと同じまたは同様の機能をより大きいカバレージエリアに提供し得ることを諒解されたい。たとえば、所与のアクセス端末に対して、ピコノードを制限すること、ホームピコノードを定義することなどが可能である。
【００４９】
[0063]図５は、例示的な適応可能ダウンリンク／アップリンクトラフィック負荷構成を示す。柔軟なＤＬ／ＵＬ構成は、ＴＤＤスペクトルを利用するための１つの効率的な方法であり得る。図５の例では、棒グラフによって示されるトラフィック負荷に複数の構成が使用され得る。時間Ｔ１からＴ２では、構成１が使用され得る。時間Ｔ２からＴ３では、構成２が使用され得る。時間Ｔ３からＴ４では、構成１が使用され得る。このようにして、ＴＤＤスペクトルがより効率的に使用され得る。たとえば、時間Ｔ２と時間Ｔ３との間の高いトラフィック負荷期間中に、適切なＤＬ／ＵＬ構成（たとえば、構成２）が使用される。時間Ｔ１からＴ２および時間Ｔ３からＴ４のより低いトラフィック負荷期間中に、適切なＤＬ／ＵＬ構成（たとえば、構成１）または複数の構成が使用される。
【００５０】
[0064]図６は、異なる送信方向を有する隣接セルによるダウンリンク−アップリンク干渉を示す。図６では、マクロｅＮＢ（ＭｅＮＢ）およびピコｅＮＢ（ＰｅＮＢ）が干渉を経験し得る。マクロＵＥ（ＭＵＥ）およびピコＵＥ（ＰＵＥ）が干渉を経験し得る。たとえば、ｅＮＢ−ｅＮＢ間の干渉、ＵＥ−ＵＥ間の干渉およびｅＮＢ−ＵＥ間の干渉があり得る。図６は、ＭｅＮＢとＰｅＮＢとの間の考えられる干渉と、ＰｅＮＢとＰｅＮＢとの間の干渉とを示す。図６は、ＭＵＥとＰＵＥとの間と、ＰＵＥとＰＵＥとの間との考えられる干渉を示す。
【００５１】
[0065]図７は、セルクラスタ干渉管理を示す。ＵＬ信号対干渉雑音比（ＳＩＮＲ）に対するＤＬ−ＵＬ間の干渉の悪影響を回避するために、セルクラスタリング手法が使用され得る。たとえば、３ＧＰＰ  ＲＡＮ１／４に記載されたセルクラスタリング手法が使用され得る。しきい値未満の結合損失を有するｅＮＢＳは、同じ方向に送信し得る。たとえば、屋外ピコセルのみのシナリオでは、２つのピコセル間の結合損失が所定のしきい値未満である場合、ピコセルはクラスタとしてグループ化され得る。クラスタ内のピコセルの送信方向は同じであり得る。３つのクラスタが図７に示されている。２つのセルを含む１つのクラスタ７５０は、ＵＬ中で動作中であり得る。１つのセルを含む別のクラスタ７７０は、ＵＬ中で動作中であり得る。２つのセルを含むさらに別のクラスタ７６０は、ＤＬ中で動作中であり得る。いくつかのｅＮＢ間の送信リンクまたは伝搬リンクは、高い経路損失（または低い経路利得）を経験し得る。たとえば、異なるクラスタ中のｅＮＢ間の伝搬リンクは、高い経路損失を有し得る。いくつかのｅＮＢ間の送信リンクまたは伝搬リンクは、低い経路損失（または高い経路利得）を経験し得る。たとえば、同じクラスタ中のｅＮＢ間の伝搬リンクは、低い経路損失を有し得る。セルはＵＥにサービスし得る。ＤＬ／ＵＬ信号送信は、（１つまたは複数の）サービスリンク上の有用な信号であり得る。ＵＥまたはｅＮＢは、ＤＬまたはＵＬ上で干渉を経験し得る。たとえば、ＵＥ−ＵＥ間の干渉およびｅＮＢ−ｅＮＢ間の干渉があり得る。たとえば、ＵＥ−ｅＮＢ間の干渉があり得る。
【００５２】
[0066]図８は、異なるＴＤＤ構成を有する２つのセルのための組み合わされたＴＤＤ構成を示す。ＣＣＩＭでは、１つのクラスタ内のセルは、高いｅＮＢ−ｅＮＢ間の干渉を回避するために同じ送信方向を有し得るので、クラスタ中のすべてのセルについて同一のＴＤＤ構成が選択され得る。適応柔軟性はＣＣＩＭのせいで低減され得る。１つのクラスタ中のセルが異なるＤＬ／ＵＬトラフィック負荷比を有し、異なるＴＤＤ構成を使用することを期待するとき、適応柔軟性が低減され得る。図８の例では、セル１は４：１のＤＬ／ＵＬ比を有し得る。一例では、セル１のための好適な構成は「ＤＳＵＤＤ」とすることができ、ここで、Ｄはダウンリンクフレーム／サブフレームを示し、Ｓは特殊フレーム／サブフレームを示し、Ｕはアップリンクフレーム／サブフレームを示す。一例では、セル２のための好適な構成は「ＤＳＵＵＵ」とすることができる。セル１とセル２とを含むセルクラスタのための１つの例示的なＴＤＤ構成は、「ＤＳＵＵＤ」とすることができる。
【００５３】
[0067]図９Ａ〜図９Ｃは、デクラスタリング方法および関連する問題を示す。デクラスタリング方法は、適応柔軟性を改善し得る。ただし、デクラスタリング方法は、２のセルサイズをもつクラスタの場合には機能しないことがある。ミュートまたはアンカーサブフレームのみのモードで動作する２つのセルのうちの１つＩの場合、このセルの適応柔軟性も失われ得る。クラスタサイズ２が支配的である場合、適応の柔軟性を改善するために、ＣＣＩＭのさらなる拡張が望ましいことがある。たとえば、クラスタサイズ結果が３ＧＰＰ  Ｒ１−１２２８７９に記載され得る。図９Ｃは、いくつかの展開シナリオにおけるクラスタ内の例示的な一般的な数のピコセルを示す。いくつかのシナリオでは、クラスタの６６パーセントは単一のピコセルを含み得る。クラスタの２１パーセントは２つのピコセルを含み得る。ピコセルの７パーセントは３つのピコセルを含み得る。クラスタの６パーセントは４つ以上のピコセルを含み得る。図９Ｃの例は、２つのピコセルを有するクラスタが単一ピコセルのクラスタの後で２番目に最も一般的な形態であり得ることを示す。
【００５４】
[0068]本開示の１つまたは複数の実施形態によれば、動的ポイント選択（ＤＰＳ）または半静的ポイント選択（ＳＰＳＳ）を使用した干渉管理のための技法が提供される。たとえば、セルクラスタ干渉管理（ＣＣＩＭ）方式は、拡張干渉管理およびトラフィック適応（ｅＩＭＴＡ）にＤＰＳまたはＳＰＳＳを使用し得る。拡張ＣＣＩＭ方式は、セルクラスタリングに２つのカテゴリのＣｏＭＰ方式、たとえば、ＤＰＳまたはＳＳＰＳを使用し得る。ＤＰＳは、時間周波数リソースにおける（たとえば、ＣｏＭＰ協調セット内の）１つのポイントからのデータ送信を含み得る。送信ポイントはサブフレームによって変わり得る。たとえば、構成は１ｍｓ送信期間などの短期期間に基づき得る。データは複数のポイント（またはノード）において同時に利用可能であり得る。
【００５５】
[0069]ＳＳＰＳは、一度に１つの送信ポイントから特定のＵＥへの送信を含み得る。送信ポイントは、半静的マンガー（manger）中で変わり得る。一例では、送信ポイント選択は無線リソース制御（ＲＲＣ）シグナリングを介して通信され得る。半静的構成は、２００ｍｓ送信期間などのより長期の期間に基づき得る。送信ポイント選択は、ＵＥに対してトランスペアレントであってもよく、トランスペアレントでなくてもよい。
【００５６】
[0070]図１０は、ＵＥのための１つの例示的な送信ポイント選択を示す。セルクラスタを形成するとき、クラスタサイズを最小限に抑えるために、ＵＥのための送信ポイントをあらかじめ選択すること。一態様では、１つのＵＥが高いＵＬトラフィックを有する場合、ＵＥに対して高いｅＮＢ−ｅＮＢ間の干渉を引き起こさない送信ポイントを選択することが望ましいことがある。たとえば、セル／ポイントステータスビット、たとえば、ステータスビット「ａ」が定義され得る。セル／ポイントがそのネイバーセルに対して高い結合損失を有するか、またはそのネイバーセル中に高いＤＬトラフィックがない場合、ステータスビット「ａ」は第１の値（たとえば、「１」）に設定され得、そうでない場合、ステータスビットは第２の値（たとえば、「０」）に設定され得る。高いＵＬトラフィックを有するＵＥについて、第１の値に設定されたセルステータスビットを有する送信セル／ポイントを選択することが望ましいことがある。送信ポイントの選択は、ｅＮＢにおいて、またはコアネットワークエンティティなどの別のネットワークエンティティにおいてであり得る。図１０の例では、ＵＥ１は高いＤＬトラフィックを有し得、ＵＥ２は高いＵＬトラフィックを有し得る。この場合、セル１からのｅＮＢ−ｅＮＢ間の干渉を軽減するために、ＵＥについてセル３が選択され得る。たとえば、Ｐｃｅｌｌ１、Ｐｃｅｌｌ２、およびＰｃｅｌｌ３のうちのいずれかまたはすべては、干渉トラフィック負荷情報（たとえば、ステータスビットを含む）を互いにまたは別のネットワークエンティティに通信し得る。Ｐｃｅｌｌ１、Ｐｃｅｌｌ２、およびＰｃｅｌｌ３のうちのいずれかまたはすべてあるいは別のネットワークエンティティは、ＵＥ１、ＵＥ２、およびＵＥ３のうちのいずれかまたはすべてから直接または間接的に報告（たとえば、測定報告）を受信し得る。Ｐｃｅｌｌ３は、受信された情報から、ＵＥ１が高いＤＬトラフィックを有し、ＵＥ２が高いＵＬトラフィックを有することを決定し得る。その情報に基づいて、ＵＥ２のための送信ポイントとなるように（たとえば、Ｐｃｅｌｌのうちのいずれかまたは別のネットワークエンティティによって）Ｐｃｅｌｌ３が選択され得る。
【００５７】
[0071]セルクラスタを形成するとき、クラスタサイズを最小限に抑えるために、ＵＥのための送信ポイントをあらかじめ選択すること。一態様では、１つのＵＥが高いＤＬトラフィックを有する場合、ＵＥに対して高いｅＮＢ−ｅＮＢ間の干渉を引き起こさない送信ポイントを選択することが望ましいことがある。たとえば、セル／ポイントステータスビット、たとえば、ステータスビット「ｂ」が定義され得る。セル／ポイントがそのネイバーセルに対して高い結合損失を有するか、またはそのネイバーセル中に高いＵＬトラフィックがない場合、ステータスビット「ｂ」は第１の値（たとえば、「１」）に設定され得、そうでない場合、ステータスビットは第２の値（たとえば、「０」）に設定され得る。高いＤＬトラフィックを有するＵＥについて、第１の値に設定されたセルステータスビットを有する送信セル／ポイントを選択することが望ましいことがある。送信ポイントの選択は、ｅＮＢにおいて、またはコアネットワークエンティティなどの別のネットワークエンティティにおいてであり得る。図１１の例では、ＵＥ１は高いＤＬトラフィックを有し得、ＵＥ２は高いＵＬトラフィックを有し得る。この場合、セル１からのｅＮＢ−ｅＮＢ間の干渉を軽減するために、ＵＥについてセル４が選択され得る。たとえば、Ｐｃｅｌｌ１、Ｐｃｅｌｌ２、およびＰｃｅｌｌ４のうちのいずれかまたはすべては、干渉およびトラフィック負荷情報（たとえば、ステータスビットを含む）を互いにまたは別のネットワークエンティティに通信し得る。Ｐｃｅｌｌ１、Ｐｃｅｌｌ２、およびＰｃｅｌｌ４のうちのいずれかまたはすべてあるいは別のネットワークエンティティは、ＵＥ１およびＵＥ２のうちのいずれかまたはすべてから直接または間接的に報告（たとえば、測定報告）を受信し得る。Ｐｃｅｌｌ４は、受信された情報から、ＵＥ１が高いＤＬトラフィックを有し、ＵＥ２が高いＵＬトラフィックを有することを決定し得る。その情報に基づいて、ＵＥ１のための送信ポイントとなるように（たとえば、Ｐｃｅｌｌのうちのいずれかまたは別のネットワークエンティティによって）Ｐｃｅｌｌ４が選択され得る。
【００５８】
[0072]図１２は、柔軟なポイント選択エリアの定義を示す。ＤＰＳおよびＳＳＰＳは、時として、より強い信号強度を有するＵＥよりもセルエッジＵＥに利益を与え得るので、柔軟なポイント選択エリアは各セルについて定義され得る。柔軟なポイント選択エリアは、ＵＥのためにＤＰＳまたはＳＳＰＳが実行され得るエリアであり得る。ＵＥがサービングセルとの強い信号強度を有するとき、ＤＰＳまたはＳＳＰＳを実行する必要がない場合がある。一態様では、柔軟なポイント選択エリアは経路損失しきい値によって定義され得る。しきい値よりも大きい経路損失を有するＵＥは、柔軟なポイント選択エリアに属し得る。たとえば、図１２のＵＥ１は、しきい値よりも大きい経路損失を有し得る。ＰｅＮＢは、ＵＥ１が柔軟なポイント選択エリア内に存在することを決定し得る。ＵＥ２は、ゼンしきい値未満の経路損失を有し得る。ＰｅＮＢは、ＵＥ２が柔軟なポイント選択エリア内に存在しないことを決定し得る。
【００５９】
[0073]別の態様では、柔軟なポイント選択エリアは、経路損失またはサービングセルと（１つまたは複数の）隣接セルとの間のジオメトリ差（geometry difference）によって定義され得る。たとえば、ＵＥの差がしきい値内である場合、ＵＥは柔軟なポイント選択エリアに属し得る。図１０および図１１に関して説明したように、この柔軟なポイント選択エリアにあるＵＥには、動的送信ポイントが割り当てられ得る。
【００６０】
[0074]図１３は、柔軟なセル選択エリアにおけるＵＥの切替えを示す。２つの隣接するが１つのクラスタ内にある場合、２つのセルのクラスタ内にない別のネイバーセルに高速セル選択によってアクセスするために、これらの２つのセルの柔軟なセル選択エリアにおいてＵＥを切り替えることが望ましいことがある。一態様では、重いＤＬ／ＵＬトラフィックがなく、ＵＬ  ｌｏＴが低い場合、ＵＥは「ビクティム」セル（またはソースセル）からそのネイバーセルに切り替えられ得る。ＵＬステータスビットが定義され得る。たとえば、重いＤＬ／ＵＬトラフィックがなく、ＵＬ  ｌｏＴが低い場合、ＵＬステータスビットは第１の値（たとえば、「１」）に設定され得、そうでない場合、ステータスビットは第２の値（たとえば、「０」）に設定され得る。このステータスビットはブロードキャストされるか、または他の方法でネイバーセルに通信され得る。
【００６１】
[0075]別の態様では、重いＵＬ／ＤＬトラフィックがない場合、ＵＥは「アグリゲータ」セル中でそのネイバーセルに切り替えられ得る。ＵＬステータスビットが定義され得る。重いＤＬ／ＵＬトラフィックがなく、ＵＬ  ｌｏＴが低い場合、ＵＬステータスビットは第１の値（たとえば、「１」）に設定され得、そうでない場合、ステータスバットは第２の値（たとえば、「０」）に設定され得る。このステータスビットはブロードキャストされるか、または他の方法でネイバーセルに通信され得る。
【００６２】
[0076]本明細書で説明する実施形態の１つまたは複数の態様によれば、図１４を参照すると、アクセスノードまたは他のネットワークエンティティ、たとえば、ｅＮＢ、ピコセル、コアネットワークエンティティなどによって動作可能な方法１４００が示されている。詳細には、方法１４００はＤＰＳまたはＳＳＰＳを使用して干渉を軽減する方法について説明する。方法１４００は、１４０２において、複数のネットワークノードにおける干渉を決定することを含み得る。方法１４００は、１７０４において、決定された干渉に基づいて、少なくとも１つのモバイルエンティティへの送信のための送信ポイントを複数のネットワークノードから選択することを含み得る。
【００６３】
[0077]図１５を参照すると、任意選択であり、アクセスノード、ネットワークエンティティなどによって実行され得る、方法１４００のさらなる動作１５００または態様が示されている。方法１５００が図１５の少なくとも１つのブロックを含む場合、方法１５００は、必ずしも、図示され得るいかなる（１つまたは複数の）後続のダウンストリームブロックをも含む必要なしに、少なくとも１つのブロックの後に終了し得る。ブロックの番号は、ブロックが方法１５００に従って実行され得る特定の順序を暗示しないことにさらに留意されたい。たとえば、方法１５００は、１５０２において、複数のネットワークノードのためのセルクラスタを決定することをさらに含み得る。たとえば、方法１５００は、ステップ１５０４において、少なくとも１つのネイバーネットワークノードによる干渉を決定することをさらに含み得る。方法１５００は、１５０６において、ネイバーネットワークノードに対する高い結合損失またはネイバーネットワークノード中の高いデータトラフィックの不在を決定したことに応答して、ステータスフラグを第１の値と定義するか、さもなければ、ステータスフラグを第２の値と定義することをさらに含み得る。方法１５００は、１５０８において、複数のネットワークノード中の１つのネットワークノードから複数のネットワークノード中の別のネットワークノードにステータスフラグを送信することをさらに含み得る。
図１６を参照すると、ワイヤレスシステム９００中のｅＮＢ（たとえば、ピコセル）として、あるいは装置内で使用するためのプロセッサまたは同様のデバイス／構成要素として構成され得る例示的な装置１６０２が与えられている。別の実施形態では、コアネットワークエンティティなどの別のネットワークエンティティとして構成され得る例示的な装置１６０２。装置１６０２は、プロセッサ、ソフトウェア、またはそれらの組合せ（たとえば、ファームウェア）によって実装される機能を表し得る機能ブロックを含み得る。たとえば、装置１６０２は、複数のネットワークノードにおける干渉を決定するための干渉決定構成要素１６１０を含み得る。干渉決定構成要素１６１０は、少なくとも１つのネイバーネットワークノードによる干渉を決定するように構成され得る。干渉決定構成要素１６１０は、複数のネットワークノードにおける干渉を決定するための手段であり得るか、またはこれを含み得る。前記手段は、１つまたは複数のプロセッサ、あるいはトランシーバに結合された１つまたは複数のプロセッサによって実行されるアルゴリズムを含み得る。アルゴリズムは、たとえば、図１４〜図１５に関して上記で説明したアルゴリズム１４０２および１５０４のうちの１つまたは複数を含み得る。
たとえば、装置１６０２は、決定された干渉に基づいて、少なくとも１つのモバイルエンティティへの送信のための送信ポイントを複数のネットワークノードから選択するための送信ポイント選択構成要素１６１２を含み得る。送信ポイント選択構成要素１６１２は、決定された干渉に基づいて、少なくとも１つのモバイルエンティティへの送信のための送信ポイントを複数のネットワークノードから選択するための手段であり得るか、またはこれを含み得る。前記手段は、１つまたは複数のプロセッサによって実行されるアルゴリズムを含み得る。アルゴリズムは、たとえば、図１４に関して上記で説明したアルゴリズム１４０４のうちの１つまたは複数を含み得る。
【００６４】
[0078]さらに、装置１６０２は、構成要素１６１０〜１６１２に関連付けられた機能を実行するための命令を保持するメモリ１６３２を含み得る。メモリ１６３２の外部にあるものとして示されているが、構成要素１６１０〜１６１２のうちの１つまたは複数はメモリ１６３２内に存在し得ることを理解されたい。一例では、構成要素１６１０〜１６１２は少なくとも１つのプロセッサを備え得るか、または各構成要素１６１０〜１６１２は少なくとも１つのプロセッサの対応するモジュールであり得る。さらに、追加または代替の例では、構成要素１６１０〜１６１２は、コンピュータ可読媒体を備えるコンピュータプログラム製品であり得、各構成要素１６１０〜１６１２は、対応するコードであり得る。
【００６５】
[0079]関係する態様では、装置１６０２は、少なくとも１つのプロセッサを有するプロセッサ構成要素１６３０を任意選択で含み得る。そのような場合、プロセッサ１６３０は、バス１６４０または同様の通信結合を介して構成要素１６１０〜１６１２と動作可能に通信していることがある。プロセッサ１６３０は、構成要素１６１０〜１６１２によって実行される処理または機能の起動とスケジューリングとを実施し得る。
さらなる関係する態様では、装置１６０２は無線トランシーバ構成要素１６３４を含み得る。トランシーバ構成要素１６３４の代わりに、またはトランシーバ構成要素１６３４とともに、スタンドアロン受信機および／またはスタンドアロン送信機が使用され得る。無線トランシーバ構成要素１６３４は、アクセスノード１６０６またはＵＥ１６０４などの１つまたは複数の通信デバイスに接続するように構成され得る。装置１６０２はまた、アクセスノード１６０６などの１つまたは複数のネットワークエンティティに接続するためのネットワークインターフェース（図示せず）を含み得る。
【００６６】
[0080]当業者であれば、情報および信号が様々な異なる技術および技法のいずれかを使用して表され得ることを理解されよう。たとえば、上記の説明全体を通して参照され得るデータ、命令、コマンド、情報、信号、ビット、シンボル、およびチップは、電圧、電流、電磁波、磁場もしくは磁性粒子、光場もしくは光学粒子、またはこれらの任意の組合せによって表され得る。
【００６７】
[0081]当業者であれば、本明細書の開示に関して説明した様々な例示的な論理ブロック、モジュール、回路、およびアルゴリズムステップが、電子ハードウェア、コンピュータソフトウェア、またはその両方の組合せとして実装されることをさらに了解されよう。ハードウェアとソフトウェアのこの互換性を明確に示すために、様々な例示的な構成要素、ブロック、モジュール、回路、およびステップについて、概してそれらの機能に関して上記で説明した。そのような機能がハードウェアとして実装されるかソフトウェアとして実装されるかは、特定の適用例と、システム全体に課される設計制約とに依存する。当業者は、説明した機能を特定の適用例ごとに様々な方法で実装し得るが、そのような実装の決定は、本開示の範囲からの逸脱を生じるものと解釈されるべきではない。
【００６８】
[0082]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６９】
[0083]本明細書の開示に関して説明した方法またはアルゴリズムのステップは、直接ハードウェアで具現化されるか、プロセッサによって実行されるソフトウェアモジュールで具現化されるか、またはその２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体に存在し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に存在し得る。ＡＳＩＣはユーザ端末中に存在し得る。代替として、プロセッサおよび記憶媒体は、ユーザ端末中の個別構成要素として存在し得る。
【００７０】
[0084]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶され得るか、またはコンピュータ可読媒体を介して送信され得る。コンピュータ可読媒体は、コンピュータ記憶媒体と、ある場所から別の場所へのコンピュータプログラムの転送を容易にする任意の媒体を含む通信媒体の両方を含む。記憶媒体は、汎用コンピュータまたは専用コンピュータによってアクセスされ得る任意の利用可能な媒体であり得る。限定ではなく、例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備え得る。また、任意の接続がコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線およびマイクロ波などのワイヤレス技術は、媒体の定義に含まれる。本明細書で使用するディスク（disk）およびディスク（disc）は、コンパクトディスク（disc）（ＣＤ）と、レーザーディスク（登録商標）（disc）と、光ディスク（disc）と、デジタル多用途ディスク（disc）（ＤＶＤ）と、フロッピー（登録商標）ディスク（disk）と、ブルーレイ（登録商標）ディスク（disc）とを含み、ディスク（disk）は、通常、データを磁気的に再生し、ディスク（disc）は、データをレーザーで光学的に再生する。上記の組合せもコンピュータ可読媒体の範囲内に含まれるべきである。
【００７１】
[0085]本開示についての以上の説明は、いかなる当業者も本開示を作成または使用することができるようにするために提供される。本開示に対する様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
【図１】
2016522603.tif 000003
【図２】
2016522603.tif 000004
【図３】
2016522603.tif 000005
【図４】
2016522603.tif 000006
【図６】
2016522603.tif 000007
【図７】
2016522603.tif 000008
【図８】
2016522603.tif 000009
【図９Ａ】
2016522603.tif 000010
【図９Ｂ】
2016522603.tif 000011
【図１４】
2016522603.tif 000012
【図１５】
2016522603.tif 000013
【図１６】
2016522603.tif 000014
【図５】
2016522603.tif 000015
【図９Ｃ】
2016522603.tif 000016
【図１０】
2016522603.tif 000017
【図１１】
2016522603.tif 000018
【図１２】
2016522603.tif 000019
【図１３】
2016522603.tif 000020
【国際調査報告】
2016522603.tif 000021
2016522603.tif 000022